(57)【要約】消費者が自分に適した広告を複雑な段階を踏むことなく無意識的に取得することができ、さらに、広告主側からみても宣伝効果の高い広告を行うことのできる広告印刷システムを提供すること。消費者コンピュータシステム１００がインターネット等のコンピュータネットワークを介して物品の購入などを行い、請求書及び振込用紙などの印刷出力をリクエストすると、印刷出力要求信号がＩＦプログラム２１０を介してスクリプトサーバ２２１に送出される。同信号を受信したスクリプトサーバ２２１は、ユーザの予約情報・購入情報などをメインデータベース２３３に書き込む。さらに、スクリプトサーバ２２１はユーザの個人情報をプロファイルデータベース２３１に書き込むと同時に、そのユーザに適した広告を検索する。
2001090980.tif 000002
【特許請求の範囲】
【請求項１】
コンピュータネットワークを介してウェブサーバから消費者コンピュータシステムに出力される印刷物に広告エリアを設け、前記広告エリアに広告コンテンツを挿入する広告印刷システムであり、
前記ウェブサーバは、
複数の広告コンテンツを記憶した広告データベースと、
各種ユーザ情報を蓄積した少なくとも１つの消費者情報データベースにアクセスするアクセス手段と、
前記消費者コンピュータシステムから送出される印刷出力要求信号を受信する受信手段と、
前記印刷出力要求信号上にある消費者コンピュータ識別子と前記消費者情報データベースとを参照し、前記広告データベースの中から消費者に適した広告コンテンツを検索する検索手段と、
検索一致した広告コンテンツを印刷用データに設けた広告エリアに挿入する挿入手段と、
前記広告コンテンツが挿入された前記印刷用データを、前記消費者コンピュータシステムに送出する送出手段と、
前記消費者コンピュータシステムを介して前記印刷用データを出力用紙に印刷する印刷手段と
を具備することを特徴とする広告印刷システム。
【請求項２】
請求項１に記載の広告印刷システムにおいて、
前記消費者コンピュータシステムがプリンタを有していない場合、
前記広告コンテンツが挿入された前記印刷用データを、電話回線を介してＦＡＸに送出する送出手段を具備することを特徴とする広告印刷システム。
【請求項３】
コンピュータネットワークを介して消費者コンピュータシステムに出力される印刷物に広告エリアを設け、前記広告エリアに広告コンテンツを挿入する広告印刷方法であり、
前記消費者コンピュータシステムから送出される印刷出力要求信号を受信した際、
各種ユーザ情報を蓄積した少なくとも１つの消費者情報データベースにアクセスし、
前記印刷出力要求信号上にある消費者コンピュータ識別子と前記消費者情報データベースとを参照し、
複数の広告コンテンツを記憶した広告データベースの中から消費者に適した広告コンテンツを検索し、
検索一致した広告コンテンツを印刷用データに設けた広告エリアに挿入し、
前記広告コンテンツが挿入された前記印刷用データを、前記消費者コンピュータシステムに送出し、
前記消費者コンピュータシステムを介して前記印刷用データを出力用紙に印刷することを特徴とする広告印刷方法。
【請求項４】
請求項３に記載の広告印刷方法において、
前記消費者コンピュータシステムがプリンタを有していない場合、
前記広告コンテンツが挿入された前記印刷用データを、電話回線を介してＦＡＸに送出することを特徴とする広告印刷方法。
【請求項５】
コンピュータネットワークを介して消費者コンピュータシステムに出力される印刷物に広告エリアを設け、前記広告エリアに広告コンテンツを挿入する処理を実行するソフトウェアを蓄積した電子媒体であり、
前記消費者コンピュータシステムから送出される印刷出力要求信号を受信する第１の手順と、
各種ユーザ情報を蓄積した少なくとも１つの消費者情報データベースにアクセスする第２の手順と、
前記印刷出力要求信号上にある消費者コンピュータ識別子と前記消費者情報データベースとを参照し、複数の広告コンテンツを記憶した広告データベースの中から消費者に適した広告コンテンツを検索する第３の手順と、
検索一致した広告コンテンツを印刷用データに設けた広告エリアに挿入する第４の手順と、
前記広告コンテンツが挿入された前記印刷用データを、前記消費者コンピュータシステムに送出する第５の手順と、
前記消費者コンピュータシステムを介して前記印刷用データを出力用紙に印刷する第６の手順と
を実行するソフトウェアを蓄積したことを特徴とする電子媒体。
【請求項６】
請求項５に記載の電子媒体において、
前記消費者コンピュータシステムがプリンタを有していない場合、
前記広告コンテンツが挿入された前記印刷用データを、電話回線を介してＦＡＸに送出する手順を実行するソフトウェアを蓄積したことを特徴とする電子媒体。
【請求項７】
請求項１又は請求項２に記載の広告印刷システムにおいて、
前記消費者コンピュータシステムが携帯端末であることを特徴とする広告印刷システム。
【請求項８】
請求項３又は請求項４に記載の広告印刷方法において、
前記消費者コンピュータシステムが携帯端末であることを特徴とする広告印刷方法。
【請求項９】
請求項５又は請求項６に記載の電子媒体において、
前記消費者コンピュータシステムが携帯端末であることを特徴とする電子媒体。
【請求項１０】
コンピュータネットワークを介してウェブサーバから各種サーバに出力する印刷用データに広告エリアを設け、前記広告エリアに広告コンテンツを挿入する広告印刷システムであり、
前記ウェブサーバは、
複数の広告コンテンツを記憶した広告データベースと、
各種ユーザ情報を蓄積した少なくとも１つの消費者情報データベースにアクセスするアクセス手段と、
消費者コンピュータシステムから送出される印刷出力要求信号を受信する受信手段と、
前記印刷出力要求信号上にある消費者コンピュータ識別子と前記消費者情報データベースとを参照し、前記広告データベースの中から消費者に適した広告コンテンツを検索する検索手段と、
検索一致した広告コンテンツを印刷用データに設けた広告エリアに挿入する挿入手段と、
前記広告コンテンツが挿入された前記印刷用データを前記各種サーバに送出する送出手段と
を具備することを特徴とする広告印刷システム。
【請求項１１】
請求項１０に記載の広告印刷システムにおいて、
前記各種サーバがＦＡＸサーバ、インターネットプリントサーバ、及び電子メールサーバであることを特徴とする広告印刷システム。
【請求項１２】
コンピュータネットワークを介して各種サーバに出力する印刷用データに広告エリアを設け、前記広告エリアに広告コンテンツを挿入する広告印刷方法であり、
消費者コンピュータシステムから送出される印刷出力要求信号を受信した際、
各種ユーザ情報を蓄積した少なくとも１つの消費者情報データベースにアクセスし、
前記印刷出力要求信号上にある消費者コンピュータ識別子と前記消費者情報データベースとを参照し、
複数の広告コンテンツを記憶した広告データベースの中から消費者に適した広告コンテンツを検索し、
検索一致した広告コンテンツを印刷用データに設けた広告エリアに挿入し、
前記広告コンテンツが挿入された前記印刷用データを前記各種サーバに送出することを特徴とする広告印刷方法。
【請求項１３】
請求項１２に記載の広告印刷方法において、
前記各種サーバがＦＡＸサーバ、インターネットプリントサーバ、及び電子メールサーバであることを特徴とする広告印刷方法。
【請求項１４】
コンピュータネットワークを介して各種サーバに出力する印刷用データに広告エリアを設け、前記広告エリアに広告コンテンツを挿入する処理を実行するソフトウェアを蓄積した電子媒体であり、
前記消費者コンピュータシステムから送出される印刷出力要求信号を受信する第１の手順と、
各種ユーザ情報を蓄積した少なくとも１つの消費者情報データベースにアクセスする第２の手順と、
前記印刷出力要求信号上にある消費者コンピュータ識別子と前記消費者情報データベースとを参照し、複数の広告コンテンツを記憶した広告データベースの中から消費者に適した広告コンテンツを検索する第３の手順と、
検索一致した広告コンテンツを印刷用データに設けた広告エリアに挿入する第４の手順と、
前記広告コンテンツが挿入された前記印刷用データを前記各種サーバに送出する第５の手順と
を実行するソフトウェアを蓄積したことを特徴とする電子媒体。
【請求項１５】
請求項１４に記載の電子媒体において、
前記各種サーバがＦＡＸサーバ、インターネットプリントサーバ、及び電子メールサーバであることを特徴とする電子媒体。
【発明の詳細な説明】
技術分野
本発明はユーザーの個人情報及び購入情報に応じた広告コンテンツを印刷物上に挿入するようにした広告印刷システムに関するものである。
背景技術
近年、インターネット上に開設したホームページを利用して様々な商品の広告が行われており、ユーザーは特定のホームページにアクセスしてその広告情報を自由に入手することが可能である。さらにユーザー毎にＩＤ、パスワードを配付し、これを入力することによりユーザー毎のページを表示するシステムも存在し、特定の利用者にターゲットを絞って広告表示することが行われている。
このような傾向にともない、特開平１１−２８２３９３号に提案されている購買履歴に応じた個人別インターネット広告方法は、ユーザーの購買履歴に応じた広告情報をＷＷＷページ上に表示する方法を明示している。
発明の開示
しかしながら、上記に示した従来の方法は、広告を閲覧したい人のみが所定の段階を踏んで意識的にＷＷＷページ上に広告を表示するものであった。さらに、そのＷＷＷページはハードコピーするなどして印刷することは可能であるものの、最初から印刷用データとして作成されているものはなかった。
本発明は、消費者が自分に適した広告を複雑な段階を踏むことなく無意識的に取得することができ、さらに、広告主側からみても宣伝効果の高い広告を印刷することのできる広告印刷システムを提供することを目的とする。
上記課題を解決するため、本発明は、コンピュータネットワークを介してウェブサーバから消費者コンピュータシステムに出力される印刷物に広告エリアを設け、広告エリアに広告コンテンツを挿入する広告印刷システムであり、ウェブサーバは、複数の広告コンテンツを記憶した広告データベースと、各種ユーザ情報を蓄積した少なくとも１つの消費者情報データベースにアクセスするアクセス手段と、消費者コンピュータシステムから送出される印刷出力要求信号を受信する受信手段と、印刷出力要求信号上にある消費者コンピュータ識別子と消費者情報データベースとを参照し、広告データベースの中から消費者に適した広告コンテンツを検索する検索手段と、検索一致した広告コンテンツを印刷用データに設けた広告エリアに挿入する挿入手段と、広告コンテンツが挿入された印刷用データを、消費者コンピュータシステムに送出する送出手段と、消費者コンピュータシステムを介して印刷用データを出力用紙に印刷する印刷手段とを具備することを特徴とする広告印刷システムである。
また、上記広告印刷システムは、消費者コンピュータシステムがプリンタを有していない場合、広告コンテンツが挿入された印刷用データを、電話回線を介してＦＡＸに送出する送出手段を具備することを特徴とする。
さらに本発明は、コンピュータネットワークを介して消費者コンピュータシステムに出力される印刷物に広告エリアを設け、広告エリアに広告コンテンツを挿入する広告印刷方法であり、消費者コンピュータシステムから送出される印刷出力要求信号を受信した際、各種ユーザ情報を蓄積した少なくとも１つの消費者情報データベースにアクセスし、印刷出力要求信号上にある消費者コンピュータ識別子と消費者情報データベースとを参照し、複数の広告コンテンツを記憶した広告データベースの中から消費者に適した広告コンテンツを検索し、検索一致した広告コンテンツを印刷用データに設けた広告エリアに挿入し、広告コンテンツが挿入された印刷用データを、消費者コンピュータシステムに送出し、消費者コンピュータシステムを介して印刷用データを出力用紙に印刷することを特徴とする広告印刷方法である。
また、上記広告印刷方法は、消費者コンピュータシステムがプリンタを有していない場合、広告コンテンツが挿入された印刷用データを、電話回線を介してＦＡＸに送出する。
さらに、本発明は、コンピュータネットワークを介して消費者コンピュータシステムに出力される印刷物に広告エリアを設け、広告エリアに広告コンテンツを挿入する処理を実行するソフトウェアを蓄積した電子媒体であり、消費者コンピュータシステムから送出される印刷出力要求信号を受信する第１の手順と、各種ユーザ情報を蓄積した少なくとも１つの消費者情報データベースにアクセスする第２の手順と、印刷出力要求信号上にある消費者コンピュータ識別子と消費者情報データベースとを参照し、複数の広告コンテンツを記憶した広告データベースの中から消費者に適した広告コンテンツを検索する第３の手順と、検索一致した広告コンテンツを印刷用データに設けた広告エリアに挿入する第４の手順と、広告コンテンツが挿入された印刷用データを、消費者コンピュータシステムに送出する第５の手順と、消費者コンピュータシステムを介して印刷用データを出力用紙に印刷する第６の手順とを実行するソフトウェアを蓄積したことを特徴とする電子媒体である。
また、上記電子媒体は、消費者コンピュータシステムがプリンタを有していない場合、広告コンテンツが挿入された印刷用データを、電話回線を介してＦＡＸに送出する手順を実行する。
また、上記広告印刷システムの消費者コンピュータシステムは、携帯端末であってもよい。
また、上記広告印刷方法の消費者コンピュータシステムは、携帯端末であってもよい。
また、上記電子媒体の消費者コンピュータシステムは、携帯端末であってもよい。
さらに、本発明は、コンピュータネットワークを介してウェブサーバから各種サーバに出力する印刷用データに広告エリアを設け、当該広告エリアに広告コンテンツを挿入する広告印刷システムであり、ウェブサーバは、複数の広告コンテンツを記憶した広告データベースと、各種ユーザ情報を蓄積した少なくとも１つの消費者情報データベースにアクセスするアクセス手段と、消費者コンピュータシステムから送出される印刷出力要求信号を受信する受信手段と、印刷出力要求信号上にある消費者コンピュータ識別子と消費者情報データベースとを参照し、広告データベースの中から消費者に適した広告コンテンツを検索する検索手段と、検索一致した広告コンテンツを印刷用データに設けた広告エリアに挿入する挿入手段と、広告コンテンツが挿入された印刷用データを各種サーバに送出する送出手段とを具備することを特徴とする。
上記広告印刷システムにおいて、各種サーバはＦＡＸサーバ、インターネットプリントサーバ、及び電子メールサーバであることを特徴とする。
さらに、本発明は、コンピュータネットワークを介して各種サーバに出力する印刷用データに広告エリアを設け、当該広告エリアに広告コンテンツを挿入する広告印刷方法であり、消費者コンピュータシステムから送出される印刷出力要求信号を受信した際、各種ユーザ情報を蓄積した少なくとも１つの消費者情報データベースにアクセスし、印刷出力要求信号上にある消費者コンピュータ識別子と消費者情報データベースとを参照し、複数の広告コンテンツを記憶した広告データベースの中から消費者に適した広告コンテンツを検索し、検索一致した広告コンテンツを印刷用データに設けた広告エリアに挿入し、広告コンテンツが挿入された印刷用データを各種サーバに送出することを特徴とする。
上記広告印刷方法において、各種サーバはＦＡＸサーバ、インターネットプリントサーバ、及び電子メールサーバであることを特徴とする。
さらに、本発明は、コンピュータネットワークを介して各種サーバに出力する印刷用データに広告エリアを設け、当該広告エリアに広告コンテンツを挿入する処理を実行するソフトウェアを蓄積した電子媒体であり、消費者コンピュータシステムから送出される印刷出力要求信号を受信する第１の手順と、各種ユーザ情報を蓄積した少なくとも１つの消費者情報データベースにアクセスする第２の手順と、印刷出力要求信号上にある消費者コンピュータ識別子と消費者情報データベースとを参照し、複数の広告コンテンツを記憶した広告データベースの中から消費者に適した広告コンテンツを検索する第３の手順と、検索一致した広告コンテンツを印刷用データに設けた広告エリアに挿入する第４の手順と、広告コンテンツが挿入された印刷用データを各種サーバに送出する第５の手順とを実行するソフトウェアを蓄積したことを特徴とする。
上記電子媒体において、各種サーバはＦＡＸサーバ、インターネットプリントサーバ、及び電子メールサーバであることを特徴とする。
発明を実施するための最良の形態
以下本発明の実施の形態について説明する。図１は本発明の広告印刷システムを説明するシステム概略図、図２は本発明の広告印刷システムの全体構成図である。本発明はユーザーがインターネット等のコンピュータネットワークを介して物品の購入などを行い、請求書及び振込用紙など（見積書，クーポン券，チケット，地図情報，株価情報，不動産情報等を含む印刷用データ、以下同じ）の印刷出力をリクエストした場合、個人情報及び購入履歴に応じた広告コンテンツを上記請求書及び振込用紙などに自動的に挿入するものである。
図１において、ユーザーがインターネット３００に接続したウェブサイト上で物品を購入すると、消費者コンピュータシステム（パソコン及びその周辺機器１１０又は携帯端末１２１）から本システムを運営管理するウェブサーバ２００へ、商品名、メーカー名、型番、金額、色、日時、個人情報（氏名、住所、年齢、性別、電話番号、職業）等が送出される。送られてきたこれらの情報はユーザ情報としてデータベースに蓄積される。ウェブサーバ２００側ではセッション管理用のテーブルを内部に保管し、セッションとクッキー（Ｃｏｏｋｉｅ）との対応表、並びに／又はセッション，ＩＰアドレス，及び／又は端末ＩＤとの対応表も保管する。
上記のようにして初回購入時から管理可能になった消費者コンピュータ識別子は、以後ユーザー情報の１つとして各個人に恒久的に割り当てて使用される。ユーザ情報及び広告データベースを保持しているウェブサーバ２００は、図２で詳しく説明するような手順で各個人に適した広告を検索する。その検索された広告は印刷用データに挿入され、以下に示す出力先のうちいずれかに送られる。
消費者コンピュータシステム（図１では１１０）がプリンタを有している場合にはそのプリンタに出力。
電話回線を介してＦＡＸ１２３０に直接送信。
ＦＡＸサーバ１２３に出力後、指定のＦＡＸ１２３０に送信。
ドキュメントメールサーバ１２５に出力後、ＯＰＲ（出願人が独自に開発したドキュメントフォーマット）又はＰＤＦ（特定のプラットフォームに依存せずに文書を表示できるドキュメントフォーマット。Ａｄｏｂｅ社により開発）ファイルを添付して電子メール１２５０として送信。
インターネットプリントサーバ１２７に出力後、所定のプリンタ１２７０に出力。
次に、図２を用いて各個人に適した広告を印刷物に挿入するときの手順について説明する。消費者コンピュータシステム１００（図１のパソコン及びその周辺機器１１０及び携帯端末１２１）がインターネット等のコンピュータネットワーク（本実施の形態ではインターネット３００とする）を介して物品の購入などを行い、請求書及び振込用紙などの印刷出力をリクエストすると、印刷出力要求信号がＩＦプログラム（インターフェースプログラム）２１０を介してスクリプトサーバ（Ｓｃｒｉｐｔ  Ｓｅｒｖｅｒ）２２１に送出される。同信号を受信したスクリプトサーバ２２１は、ユーザの予約情報・購入情報などをメインデータベース（Ｍａｉｎ  ＤＢ）２３３に書き込む。さらに、スクリプトサーバ２２１はユーザの個人情報（氏名、住所、年齢、性別、電話番号、職業）をプロファイルデータベース（Ｐｒｏｆｉｌｅ  ＤＢ）２３１に書き込むと同時に、そのユーザに適した広告を検索する。なお、広告とユーザとの結びつけは別途定義し、例えば、上記個人情報と各広告の参照数などにより決定される。
検索結果はスクリプトサーバ２２１からドキュメントデータサーバ（Ｄｏｃｕｍｅｎｔ  Ｄａｔａ  Ｓｅｒｖｅｒ）２２３へ渡され、ドキュメントデータサーバ２２３はスクリプトサーバ２２１に指定された条件で印刷用データを作成する。この印刷用データのテンプレート２３７に広告エリアが設定されている場合、ドキュメントデータサーバ２２３はコンテンツサーバ２２５（コンテンツ制御サーバ２２５ともいう）（コンテンツサーバ：Ｃｏｎｔｅｎｔｓ  Ｓｅｒｖｅｒ、コンテンツ制御サーバ：Ｃｏｎｔｅｎｔｓ  Ｃｏｎｔｒｏｌ  Ｓｅｒｖｅｒ）にアクセスし、必要な広告コンテンツ２４０を取得する。ドキュメントデータサーバ２２３は、取得した広告コンテンツ２４０を印刷用データの広告エリアに挿入する。広告コンテシツ２４０の挿入された印刷用データは、以下に示す出力先のうちいずれかに送られる。
消費者コンピュータシステム（図１では１１０）がプリンタを有している場合にはそのプリンタに出力。
電話回線を介してＦＡＸ１２３０に直接送信。
ＦＡＸサーバ１２３に出力後、指定のＦＡＸ１２３０に送信。
ドキュメントメールサーバ１２５に出力後、ＯＰＲ又はＰＤＦファイルを添付して電子メール１２５０として送信。
インターネットプリントサーバ１２７に出力後、所定のプリンタ１２７０に出力。
図３に、消費者コンピュータシステム１００から送出された請求書及び振込用紙などの印刷出力要求に応答し、印刷用データを出力するときの処理フロー図を示す。なお、図３において点線で囲んだ部分３０３はスクリプトサーバ２２１内で行われる処理、点線で囲んだ部分３０５はドキュメントデータサーバ２２３内で行われる処理である。
まず、ユーザがインターネット３００を介して物品の購入などを行うと、消費者コンピュータシステム１００は請求書及び振込用紙などの印刷出力を要求する（ステップ３０１）。スクリプトサーバ２２１は、消費者コンピュータシステム１００から取得した個人情報２３１（ユーザのプロファイル）及び購入情報２３３（予約情報、契約情報などでもよい）をデータベースに書き込むと同時に、個人情報２３１と広告参照数などに基づいてユーザに適した広告の検索処理を行う（ステップ３０３）。ステップ３０３の処理結果のアウトプットとして、例えば、検索一致広告３１１、印刷用データ作成条件３１３（テンプレート２３７）、及び広告コンテンツ取得条件３１５が得られる。
これらのアウトプット３１１〜３１５は、ドキュメントデータサーバ２２３にわたされる。ドキュメントデータサーバ２２３は印刷用データ作成条件３１３に広告エリアが設けられていた場合、コンテンツサーバ２２５にアクセスして必要な広告コンテンツ（バナー画像、テキスト等）を取得する。このときの取得条件は広告コンテンツ取得条件３１５を用いる。取得した広告コンテンツは広告エリアに挿入され、以下に示す出力先のうちいずれかに送られる。
消費者コンピュータシステム（図１では１１０）がプリンタを有している場合にはそのプリンタに出力。
電話回線を介してＦＡＸ１２３０に直接送信。
ＦＡＸサーバ１２３に出力後、指定のＦＡＸ１２３０に送信。
ドキュメントメールサーバ１２５に出力後、ＯＰＲ又はＰＤＦファイルを添付して電子メール１２５０として送信。
インターネットプリントサーバ１２７に出力後、所定のプリンタ１２７０に出力。
以上、本発明の実施の形態を記したが、本発明は図１〜３を用いて説明した実施の形態に限定されず、例えば、使用するデータベースの数、サーバの数は可変であり、さらに、これらデータベース及びサーバの名称も適宜変更することが可能であることは明らかである。
産業上の利用可能性
このように、本発明によると、消費者が自分に適した広告を複雑な段階を踏むことなく無意識的に取得することができ、さらに、広告主側からみても宣伝効果の高い広告を印刷することのできる広告印刷システムを提供することができる。
【図面の簡単な説明】
図１は、本発明の広告印刷システムを説明するシステム概略図。
図２は、本発明の広告印刷システムの全体構成図。
図３は、本発明の実施の形態を示した処理フロー図。
【図１】
2001090980.tif 000003
【図２】
2001090980.tif 000004
【図３】
2001090980.tif 000005
【国際調査報告】
2001090980.tif 000006
2001090980.tif 000007
2001090980.tif 000008